(57)【要約】【課題】本発明の課題は、簡単な構成の補強部材で、安全ネットの取り付けが容易で安価に実施できる装置を具現することにある。【解決手段】 本発明は、グレンタンク（７）の天井部に内部視認用の矩形状穴（１０）と開閉可能な蓋（１１）を設け、前記矩形状穴（１０）には、内側に安全ネット（１２）を設けるにあたり、矩形状穴（１０）の周囲に下向き部材（１３）を設け、該下向き部材の対面２個所には安全ネット（１２）を取り外し自在に締付固定する。また、安全ネット（１２）を、矩形状穴（１０）の短辺側に設けた下向き部材（１３）の対面２個所に取り付ける。【選択図】      図７
2016202116.tif 000002
【特許請求の範囲】
【請求項１】
グレンタンク（７）の天井部に内部視認用の矩形状穴（１０）と開閉可能な蓋（１１）を設け、前記矩形状穴（１０）には、内側に安全ネット（１２）を設けるにあたり、矩形状穴（１０）の周囲に下向き部材（１３）を設け、該下向き部材の対面２個所には安全ネット（１２）を取り外し自在に締付固定してあるコンバイン。
【請求項２】
前記矩形状穴（１０）の短辺側に設けた下向き部材（１３）の対面２個所に前記安全ネット（１２）を取り付けた請求項１記載のコンバイン。
【発明の詳細な説明】
【技術分野】
【０００１】
この発明は、グレンタンクを備えたコンバインに関する。
【背景技術】
【０００２】
従来、コンバインに搭載したグレンタンクの天井壁に矩形状の天井孔が形成され、天井孔の上側には開閉自在な蓋が設置されている。天井孔と蓋とも間には、目抜き鉄板からなるネット部材が設置され、ネット部材は、天井板の周辺部にボルト等の締結手段によって取り付けられている（例えば、特許文献１参照）。
【先行技術文献】
【特許文献】
【０００３】
【特許文献１】特開２０１３−９６３３号公報
【発明の概要】
【発明が解決しようとする課題】
【０００４】
本発明の課題は、簡単な構成の補強部材で、安全ネットの取り付けが容易で安価に実施できる装置を具現することにある。
【課題を解決するための手段】
【０００５】
この発明は、上記課題を解決すべく次のような技術的手段を講じた。
【０００６】
すなわち、請求項１記載の発明は、グレンタンク（７）の天井部に内部視認用の矩形状穴（１０）と開閉可能な蓋（１１）を設け、前記矩形状穴（１０）には、内側に安全ネット（１２）を設けるにあたり、矩形状穴（１０）の周囲に下向き部材（１３）を設け、該下向き部材の対面２個所には安全ネット（１２）を取り外し自在に締付固定してあるコンバインとする。
【０００７】
請求項２記載の発明は、前記矩形状穴（１０）の短辺側に設けた下向き部材（１３）の対面２個所に前記安全ネット（１２）を取り付けた請求項１記載のコンバインとする。
【発明の効果】
【０００８】
請求項１記載の発明によれば、矩形状穴（１０）の内側に安全ネット（１２）を取り付けるが、矩形状穴（１０）の周囲に設けた下向き部材（１３）の対面２個所に利用して安全ネット（１２）を取り付けた為、下向きに突設する部材のみで足り、部品が簡素で小型軽量化でき、安全、安価に実施できる。
【０００９】
請求項２記載の発明によれば、請求項１記載の発明による効果に加えて、下向き部材（１３）の矩形の短い側対面２個所に、直接安全ネット（１２）を取り付けるため、ネットの取付ステーも小型軽量化でき、安価に実施できる。
【図面の簡単な説明】
【００１０】
【図１】コンバインの側面図
【図２】コンバインの平面図
【図３】グレンタンクの正面図
【図４】グレンタンクの要部の平面図
【図５】同上要部の側断面図
【図６】グレンタンクの要部の平面図
【図７】同上要部の側断面図
【図８】オーガカバーのロック機構を示す背面図
【図９】同上要部の切断面図
【発明を実施するための形態】
【００１１】
この発明の実施例を図面に基づき説明する。
【００１２】
図１及び図２は、圃場に立毛する稲や麦等の作物茎稈を自走しながら刈り取って収穫するコンバインを示すものであり、この走行車体１には、左右一対の走行クローラ２，２を備え、後部に搭載した脱穀部（脱穀装置）３の前方部に刈取部４を設置し，刈取部４の横側部には運転席５や操作ボックス６等からなる運転操作部を備え、更に、その運転操作部の後方には脱穀粒を一時的に貯留するグレンタンク７を装備している。タンク７内の穀粒が一杯になると、揚穀筒９に対し、上下に昇降並びに左右に旋回可能な排出オーガ８によって外部に排出するようになっている。運転席５の下方にはコンバイン各部に動力を伝達するエンジンＥが搭載されている。
【００１３】
グレンタンク７の天井部に内部視認用の矩形状穴１０と開閉可能な蓋１１が設けられている。
【００１４】
前記矩形状穴１０には、内側に安全ネット１２を設けるにあたり、矩形状穴１０の周囲に¬型の下向き部材１３が設けられ、該下向き部材１３の対面２個所には安全ネット１２が取付ステー１５を介して取付ボルト１４により取り外し自在に締付固定するよう構成されている。これによると、従来のようなクランク型部材を用いることが不要となり、¬型の下向きに突設する部材のみで足り、部品が簡素で小型軽量化でき、安価に実施することができる。
【００１５】
そして、矩形状穴１０の短辺側に設けられた下向き部材１３の対面２個所に安全ネット１２が取り付けられる。
【００１６】
下向き部材１３の矩形の短い側対面２個所に直接安全ネットが取り付けられるため、ネットの取付ステーも小型軽量化でき、安価に実施することができる。
【００１７】
なお、１６は脱穀部３からの１番穀粒をタンク７に供給する１番揚穀装置、１７は、タンク底部に架設された搬出コンベアで、揚穀筒９を介して排出オーガ８に送り込むようになっている。
【００１８】
図８及び図９に示す実施例は、オーガカバーのロック機構を示すものであるが、カバー１８とロックプレート１９は別部品で構成し、ロックプレート１９のカッタ側にロックピン２０ａ，２０ｂを縦方向に並んで設け、一端側に縦方向に並んだ支点ピン２１ａ，２１ｂを設け、支点ピン２１ａ，２１ｂに設けたスプリング２３で引き付けて固定するロック機構の構成を示す。
【００１９】
ロックプレート１９の一端側に上下２点に設けた支点ピン２１ａ，２１ｂと、上下２点の中間部でロックピン側よりに１点の支点ピン２４を設けてスプリング２３で引き付け構成する。
【００２０】
ロックプレートの支点部は上下２点だけでは、ロック力が弱く、輸送時等に勝手に開くことがある。支点ピンを３点にすることで、ロックプレートの位置を安定させ、ロック力を向上させることができる。
【００２１】
なお、中間部の支点ピンは、上下２点に設けた支点ピンより長く設けておくとよく、また、カバー側の中間部の支点ピンの穴は長穴とすることができる。
【００２２】
グレンタンクの籾充填重量をロードセルによって測ることができるコンバインにおいて、走行車両の旋回操作を行った際、充填重量によって車体水平を制御し、旋回がスムースに行えるようにする。
【００２３】
要するに、ロードセルによって細かく籾充填量を把握できるため、データを利用し、旋回制御することにより、よりスムースな旋回ができ、ストレスなく操作できる。
【００２４】
また、上記のように、旋回操作を行った際、充填重量によって旋回圧力（ブレーキ力）を制御し、旋回がスームスに行えるように構成することもできる。
【００２５】
グレンタンクの籾充填重量をロードセルによって測ることができるコンバインにおいて、グレンタンクの前後２個所にロードセルを設置すると、より細かく籾充填量が把握できるため、精度が向上する。
【００２６】
また、上記構成において、１番出口に可動可能な籾排出ガイドを設けることができる。これによると、前後の籾充填量により、排出ガイドを制御、可動させ、バランスよくグレンタンクに籾を貯めることができる。
【００２７】
なお、グレンタンクの前後２個所にロードセルを設置し、前後の充填重量に基づいて前後車体水平を制御するように構成することもできる。
【符号の説明】
【００２８】
７    グレンタンク
１０    矩形状穴
１１    蓋
１２    安全ネット
１３    下向き部材
１４    取付ボルト
１５    取付ステー    
【図１】
2016202116.tif 000003
【図２】
2016202116.tif 000004
【図３】
2016202116.tif 000005
【図４】
2016202116.tif 000006
【図５】
2016202116.tif 000007
【図６】
2016202116.tif 000008
【図７】
2016202116.tif 000009
【図８】
2016202116.tif 000010
【図９】
2016202116.tif 000011